(57)【特許請求の範囲】
【請求項１】
監視するネットワークを配下に有する少なくとも１つの監視装置と、該監視装置にネットワーク接続されており、該監視装置又は該監視装置の配下のネットワークの状態を表示装置に表示するネットワーク統合管理装置とを備えたネットワーク統合管理システムであって、
前記監視装置は、シーケンス番号を有する情報であって該監視装置が正常であることを示す正常性チェック情報を、定期的に前記ネットワーク統合管理装置に送信し、
前記ネットワーク統合管理装置は、前記監視装置から前記正常性チェック情報を一定時間内に受信しないときは、該監視装置又は該監視装置の配下のネットワークに係る状態表示を非表示とするとともに、
前記ネットワーク統合管理装置は、受信した前記正常性チェック情報が有するシーケンス番号が番号順でないときは、該監視装置又は該監視装置の配下のネットワークの状態表示を、異常であることを示す異常情報に更新して表示する
ことを特徴とするネットワーク統合管理システム。
【請求項２】
前記ネットワーク統合管理装置は、前記状態表示を非表示とした前記監視装置から、再度前記正常性チェック情報を受信したときは、当該監視装置または当該監視装置の配下のネットワークに係る状態表示を再開する
ことを特徴とする請求項１に記載のネットワーク統合管理システム。
【請求項３】
前記ネットワーク統合管理装置は、前記正常性チェック情報の受信についてリトライ処理を行い、リトライアウトになったとき、当該監視装置は撤去されたものと判定し、該ネットワーク統合管理装置内でのネットワークの状態表示を変更することを特徴とする請求項１に記載のネットワーク統合管理システム。
【請求項４】
前記ネットワーク統合管理装置は前記監視装置に対し制御指示を発行し、該監視装置は該制御指示に従ってその配下の前記ネットワークを制御することを特徴とする請求項１に記載のネットワーク統合管理システム。
【請求項５】
前記ネットワーク統合管理装置は前記監視装置に対し制御指示を発行し、該監視装置は該制御指示に従ってその配下の前記ネットワークを制御してその処理結果を該ネットワークから収集し、さらにその収集情報を前記ネットワーク統合管理装置に通知することを特徴とする請求項１に記載のネットワーク統合管理システム。
【請求項６】
前記ネットワーク統合管理装置は前記監視装置に対し、前記ネットワークの状態を示す状態情報の収集を指示する収集指示を発行し、該監視装置は該収集指示に従ってその配下の前記ネットワークから状態情報を収集することを特徴とする請求項１に記載のネットワーク統合管理システム。
【請求項７】
前記監視装置はその配下の前記ネットワークに状態変化があったときにその状態変化を示す状態変化情報を収集し、さらに該状態変化情報を前記ネットワーク統合管理装置に通知することを特徴とする請求項１に記載のネットワーク統合管理システム。
【請求項８】
前記監視装置の配下の前記ネットワーク内において監視対象を更新したとき、更新されたネットワーク管理範囲情報を該監視装置から前記ネットワーク統合管理装置に通知し、該ネットワーク統合管理装置はこれに応じて該ネットワーク統合管理装置内でのネットワーク管理範囲情報を自動更新すると共にネットワークの状態表示を更新することを特徴とする請求項１に記載のネットワーク統合管理システム。
【請求項９】
前記監視装置が増設されたとき、該監視装置から新たなネットワーク管理範囲情報を前記ネットワーク統合管理装置に通知し、該ネットワーク統合管理装置はこれに応じて該ネットワーク統合管理装置内でのネットワーク管理範囲情報を自動更新すると共にネットワークの状態表示を更新することを特徴とする請求項１に記載のネットワーク統合管理システム。
【請求項１０】
監視対象の更新により監視対象が追加されたとき、前記ネットワーク統合管理装置はこの追加された監視対象に対し、その運用状態の通知を要求するための通知要求を発行することを特徴とする請求項１に記載のネットワーク統合管理システム。
【請求項１１】
前記ネットワーク統合管理装置は、その管理下に置くことのできる少なくとも１つの前記ネットワークを指定し、その指定したネットワークについて対応する前記監視装置を介して管理を行うことを特徴とする請求項１に記載のネットワーク統合管理システム。
【請求項１２】
前記監視装置は、少なくとも１つの前記ネットワーク統合管理装置によって管理されることを特徴とする請求項１に記載のネットワーク統合管理システム。
【請求項１３】
第１の前記ネットワーク統合管理装置は、第２の前記ネットワーク統合管理装置の管理下にある前記ネットワークを、該第２の前記ネットワーク統合管理装置内に保持する当該ネットワークの管理情報に基づいて、インターネットおよび当該ネットワークを配下に置く前記監視装置を介し、遠隔管理することを特徴とする請求項１に記載のネットワーク統合管理システム。
【請求項１４】
前記監視のための情報の伝送は、SMTPに従って行うことを特徴とする請求項１に記載のネットワーク統合管理システム。
【請求項１５】
監視するネットワークを配下に有する少なくとも１つの監視装置にネットワーク接続されており、該監視装置又は該監視装置の配下のネットワークの状態を表示装置に表示するネットワーク統合管理装置であって、
前記監視装置から、シーケンス番号を有する情報であって該監視装置が正常であることを示す正常性チェック情報を、定期的に受信するようにし、
前記監視装置から前記正常性チェック情報を一定時間内に受信しないときは、該監視装置又は該監視装置の配下のネットワークに係る状態表示を非表示とし、
また、受信した前記正常性チェック情報が有するシーケンス番号が番号順でないときは、該監視装置又は該監視装置の配下のネットワークの状態表示を、異常であることを示す異常情報に更新して表示する
ことを特徴とするネットワーク統合管理装置。
【請求項１６】
前記状態表示を非表示とした前記監視装置から、再度前記正常性チェック情報を受信したときは、当該監視装置または当該監視装置の配下のネットワークに係る状態表示を再開する
ことを特徴とする請求項１５に記載のネットワーク統合管理装置。
【請求項１７】
監視するネットワークを配下に有する少なくとも１つの監視装置にネットワーク接続されており、該監視装置又は該監視装置の配下のネットワークの状態を表示装置に表示するネットワーク統合管理装置において、
前記監視装置から、シーケンス番号を有する情報であって該監視装置が正常であることを示す正常性チェック情報を、定期的に受信する処理、
その定期的な受信処理において、前記監視装置から前記正常性チェック情報を一定時間内に受信しないときは、該監視装置又は該監視装置の配下のネットワークに係る状態表示を非表示とする処理、
その定期的な受信処理において、受信した前記正常性チェック情報が有するシーケンス番号が番号順でないとき、該監視装置又は該監視装置の配下のネットワークに係る状態表示を、異常であることを示す異常情報に更新して表示する処理、
をコンピュータに実行させるためのプログラムを記録したコンピュータ読み取り可能な記録媒体。
【請求項１８】
前記状態表示を非表示とした前記監視装置から、再度前記正常性チェック情報を受信したときは、当該監視装置又は該監視装置の配下のネットワークに係る状態表示を再開する処理、をさらに有する請求項１７に記載の記録媒体。
【発明の詳細な説明】
技術の分野
本発明はネットワーク統合管理システム、特に、複数のネットワークと、その複数のネットワークの各々をそれぞれ配下に有する複数の監視／制御装置と、これらのネットワークおよび監視／制御装置のさらに上位に配置される上位装置とを備えてなるネットワーク統合管理システムに関する。
マルチメディアの発展と共に、多数のローカルエリアネットワーク（ＬＡＮ）や広域ネットワーク（ＷＡＮ）が、構築されるようになってきている。そしてこのようなネットワークの各々を正常に機能させるため、各ネットワーク毎に監視／制御装置が設けられている。
ところが、上記の多数のネットワークが広い地域にわたって配置されるようになると、すなわちこれらネットワークにそれぞれ付帯する監視／制御装置が広い地域にわたって分散配置されるようになると、これら監視／制御装置を全体的に監視あるいは管理するためのさらに上位の装置が必要となる。このような全体的に監視あるいは管理を行う上位の装置をも含んで構築されるのがネットワーク統合管理システムである。
背景技術
後に図を参照して説明するように、従来のネットワーク統合管理システムにおいては、各ネットワークの監視／制御装置で収集した監視情報の一部を集約した後、専用線またはダイアルアップ回線を使用して、独自手順で単一のネットワーク上位監視装置にその監視情報を通知する。このネットワーク上位監視装置では、通知された監視情報をもとに、オペレータにネットワークの状態情報を提供する。一方、ネットワークに対して制御を行う必要がある場合には、各ネットワーク毎に接続されている監視／制御装置からその制御を実施するようにしている。
このような従来のネットワーク統合管理システムでは、下記の問題ｉ）〜ｉｖ）がある。
ｉ）上記のネットワーク上位監視装置は、監視情報を収集するのみである。したがって、上記の監視／制御装置を通じて、各ネットワークの制御を行うというような手順は備えていない。このため、各ネットワークに対する制御は、各ネットワーク毎の監視／制御装置からしか行うことができず、ネットワーク管理上きわめて不便である。
ｉｉ）上記のネットワーク上位監視装置においては、各ネットワークの状態の一部の状態情報しか得ることがでない。したがって、各ネットワーク内のさらに詳細な状態情報を獲得することができないので、より高品質の管理を実現することが困難である。
ｉｉｉ）上記のネットワーク上位監視装置と監視／制御装置において、各ネットワークの状態を表示情報としてそれぞれ管理する必要がある。この場合、その表示情報は監視／制御装置側とネットワーク上位監視装置側とで、当然、相互に一致していなければならない。しかしネットワーク内で監視／制御対象、例えばノード装置が増設されまたは撤去されるとその度に、監視／制御装置とネットワーク上位監視装置の双方でそれぞれ、ネットワークの構成を示すデータを更新して上記表示情報を更新する必要がある。このため使い勝手や信頼性の面で著しく劣ることになる。
ｉｖ）ネットワーク統合管理システム内の通信は、一般に専用線またはダイアルアップ回線を用いるのが普通である。しかしこのネットワーク統合管理システムが益々大規模化する現状では、専用線またはダイアルアップ回線の使用による通信コストの増大が顕著になる。
発明の開示
本発明は上記諸問題点に鑑み、ｉ）各ネットワークに対する監視および／または制御を、対応する監視／制御装置のみならず、ネットワーク上位監視装置からも行うことができるようにし、ｉｉ）そのネットワーク上位監視装置から、各ネットワークの細部まで状態情報が得られるようにし、ｉｉｉ）ネットワーク上位監視装置と監視／制御装置との間で、各ネットワークの状態の表示情報を常に一致させることができ、ｉｖ）通信コストの大幅な低減を図ることのできる、ネットワーク統合管理システムを提供することを目的とするものである。
本発明は上記目的を達成するために、基本的に次のような構成のネットワーク統合管理システムを提案する。
このネットワーク統合管理システムは、少なくとも１つの監視／制御装置と、少なくとも１つのネットワーク統合管理装置と、インターネットと、から構成される。
その少なくとも１つの監視／制御装置は、それぞれ、監視／制御すべきネットワークを配下に有する。
また、その少なくとも１つのネットワーク統合管理装置は、それぞれ、上記監視／制御装置を介して上記の各ネットワークを統合的に管理する。
そして、上記インターネット上で、上記監視／制御装置と上記ネットワーク統合管理装置との間の監視／制御装置の伝送を行う。
基本的にこのような構成をとることにより、上記の目的を達成することが可能となる。以下、図面を参照しながら詳しく説明する。
発明の実施の形態
本発明によりもたらされる効果を明確にするために、まず、従来の構成について簡単に説明する。
図２３はネットワーク統合管理システムの従来の構成を示す図である。
本図において、参照番号１０はネットワーク統合管理システムを表す。該システム１０は、下位層より、複数のネットワーク（＃１〜＃Ｎ）１４と、各ネットワーク１４毎の監視／制御装置（＃１〜＃Ｎ）１３と、各該装置１３に接続する、専用線またはダイアルアップ回線からなる通信回線１２と、該通信回線１２を介して各前記装置１３に対する監視を行う単一のネットワーク上位監視装置１１と、から構成される。
図２３において、ネットワーク１４内の例えば複数のノード装置（図示せず）からの各種情報は、ネットワーク通信インタフェース（ＮＷ通信インタフェース）２９を介して、監視収集部２８により収集される。
収集された上記各種情報は、一方において監視集約部２５に、他方において運用管理部２７に供給される。運用管理部２７から供給される、運用に関係する情報は、表示部２６に表示情報として与えられ、オペレータはこれを監視する。
一方、監視集約部２５は、収集された上記各種情報のうち、優先度の高い情報のみを選別して集約し、上位通信インタフェース（ＩＦ）２４を介して、通信回線１２に送出する。
送出された集約情報は、下位通信インタフェース（ＩＦ）２３を介して、単一のネットワーク上位監視装置１１内に取り込まれ、監視収集部２２にて所定の処理を加えて、表示部２６に表示し、オペレータにその集約情報を提供する。
上記従来構成のネットワーク統合管理システム１０では、既述した諸問題、すなわち、ネットワーク管理上きわめて不便であること、高品質の管理の実現が困難であること、使い勝手や信頼性の面で劣ること、通信コストが大であること、等の問題を生じさせている。
このような諸問題を解消することのできる本発明の構成を以下に詳述する。
図１は本発明に係るネットワーク統合管理システムの基本構成を表す図である。
本図に示す本発明のネットワーク統合管理システム１において、参照番号５０は、各々が、監視／制御すべきネットワーク１４を配下に有する少なくとも１つ（１〜Ｎ台を示す）の監視／制御装置であり、
参照番号３０は、各々が、監視／制御装置５０を介して各ネットワーク１４を統合的に管理する少なくとも１つ（１〜Ｋ台を示す）のネットワーク統合管理装置であり、
参照番号４１および４２は、監視／制御装置５０とネットワーク統合管理装置３０との間で監視／制御情報ＩＮＦの伝送をインターネット４０上で行うインターネットインタフェース（ＩＦ）である。
これらネットワーク統合管理装置３０および監視／制御装置５０の具体的構成は次のとおりである。
図２は本発明に係るネットワーク統合管理システムの具体的構成を示す図（その１）、
図３は同図（その２）である。
図２において、ネットワーク統合管理装置３０は、監視／制御すべきネットワーク１４を配下に有する監視／制御装置５０と、インターネット４０を介して、監視／制御情報ＩＮＦの授受を行いネットワーク１４を統合的に管理する。
また図３において、監視／制御装置５０は、監視／制御すべきネットワークを配下に有し、インターネット４０を介してネットワーク１４を統合的に管理するネットワーク統合管理装置３０との間で監視／制御情報ＩＮＦの授受を行う。
各ネットワーク統合管理装置３０は、図２に示す構成要素３１〜３８からなり、また各監視／制御装置５０は、図３に示す構成要素５１〜６１からなる。なお、図１に示すインターネットインタフェース４１および４２の主要部は、それぞれＳＭＴＰ部３８および５１である（ＳＭＴＰ：Ｓｉｍｐｌｅ  Ｍａｉｌ  Ｔｒａｎｓｆｅｒ  Ｐｒｏｔｏｃｏｌ）。
図２および図３に示す各構成要素（３１〜３８および５１〜６１）については、後に図８〜図１２等を参照しながら説明することとし、ここではまず本発明の特徴的動作（ａ）〜（ｊ）について明らかにする。このうち（ａ）〜（ｄ）は以下のとおりである。
（ａ）ネットワーク統合管理装置３０は監視／制御装置５０に対し、監視／制御情報ＩＮＦとして制御指示を発行し、監視／制御装置５０はその制御指示に従ってその配下のネットワーク１４を制御する。
（ｂ）ネットワーク統合管理装置３０は監視／制御装置５０に対し、監視／制御情報ＩＮＦとして制御指示を発行し、監視／制御装置５０はその制御指示に従ってその配下のネットワーク１４を制御してその処理結果をそのネットワークから収集し、さらにその収集情報をネットワーク統合管理装置３０に通知する。
（ｃ）ネットワーク統合管理装置３０は監視／制御装置５０に対し、ネットワーク１４の状態を示す状態情報の収集を指示する収集指示を、監視／制御情報ＩＮＦとして発行し、その監視／制御装置はその収集指示に従ってその配下のネットワーク１４から状態情報を収集する。
（ｄ）監視／制御装置５０はその配下のネットワーク１４に状態変化があったときにその状態変化を示す状態変化情報を収集し、さらにその状態変化情報をネットワーク統合管理装置３０に通知する。
図２および図３を参照すると、本発明のネットワーク統合管理システム１０においては、ネットワーク統合管理装置３０と監視／制御装置５０との間をインターネット４０で接続し、これらネットワーク統合管理装置３０および監視／制御装置５０では、メールサーバ（図７の６６参照）を起動する。
ネットワーク統合管理装置３０では、オペレータが保守対象のネットワーク１４に対して、制御指示（上記（ａ）および（ｂ）参照）またはネットワーク状態の収集指示（上記（ｃ）参照）を行う場合は、ネットワーク統合管理装置３０のメール作成部３７にて制御電文を作成し、電子メールで、制御対象のネットワーク１４を管轄する監視／制御装置５０にその制御電文をメール送信する。監視／制御装置５０ではそのメール解析部５２にて、受信した受信メール内の電文を解析し、コマンド制御部５５にてコマンドフォーマットを生成する。さらにこれをネットワーク１４にコマンドとして発行する。
監視／制御装置５０では、ネットワーク状態情報を収集した処理結果および、ネットワークの状態変化をネットワーク１４から受信した場合、コマンド制御部１５または状態情報通知部５６にてデータ化する。さらにメール作成部５３にて通知用の電文を作成し、ネットワーク統合管理装置３０に電子メールで通知する（上記ｄ）参照）。
上記電文を受信したネットワーク統合管理装置３０では、そのメール解析部３６でその受信メール内の電文を解析し、上記処理結果をコマンド制御部３５に通知する。この通知がネットワーク状態情報であれば、状態情報構築部３４でネットワーク状態情報を表示情報に変換し、表示部３１に表示する。
次に既述の特徴的動作（ｅ）および（ｆ）について説明する。（ｅ）および（ｆ）は次のとおりである。
（ｅ）ネットワーク統合管理装置３０は、その管理下に置くことのできる少なくとも１つのネットワーク１４を指定し、その指定したネットワークについて対応する監視／制御装置５０を介して管理を行う。
（ｆ）監視／制御装置５０は、少なくとも１つのネットワーク統合管理装置３０によって管理される。
図２および図３を参照すると、ネットワーク統合管理装置３０はその配下に属する監視／制御装置５０を、一方、監視／制御装置５０は自身が属するネットワーク統合管理装置３０を、それぞれ１つ以上管理するために管理グループ情報部（図２の３２、図３の５４）を有する。この管理グループ情報部には、通知情報毎に宛て先メールアドレスが登録されており、１つの通知情報を複数の宛て先に同報することもできる。
さらに既述の特徴的動作（ｇ）および（ｈ）について説明する。（ｇ）および（ｈ）は次のとおりである。
（ｇ）監視／制御装置５０の配下のネットワーク１４内において監視／制御対象（図４のノード装置６５）を更新したとき、更新されたネットワーク管理範囲情報をこの監視／制御装置５０からネットワーク統合管理装置３０に通知する。このネットワーク統合管理装置３０はこれに応じてネットワーク統合管理装置内でのネットワーク管理範囲情報を自動更新すると共にネットワーク１４の状態表示を更新する。
（ｈ）監視／制御対象の更新により監視／制御対象が追加されたとき、ネットワーク統合管理装置３０はこの追加された監視／制御対象に対し、その運用状態の通知を要求するための通知要求を発行する。
図２および図３を参照すると、監視／制御装置５０でネットワーク１４の管理範囲を変更した場合、その表示情報通知部５７にて変更された表示情報をデータ化し、そのメール作成部５３にて、ネットワーク管理情報電文を作成する。これをさらにネットワーク統合管理装置３０に対してメール送信する。
これを受信したネットワーク統合管理装置３０では、そのメール電文解析部３６にて受信メール内の電文を解析し、その表示情報構築部３３にて表示部引用の表示フォーマットに変換し、ネットワーク１４の管理範囲情報を自動変更し、表示部３１に再表示する。
さらにまた既述の特徴的動作（ｉ）および（ｊ）について説明する。（ｉ）および（ｊ）は次のとおりである。（ｉ）および（ｊ）も、上記管理範囲に関係するものである。
（ｉ）監視／制御装置５０そのものが増設されたとき、この監視／制御装置５０から新たなネットワーク管理範囲情報をネットワーク統合管理装置３０に通知する。ネットワーク統合管理装置３０はこれに応じてこのネットワーク統合管理装置内でのネットワーク管理範囲情報を自動更新すると共にネットワーク１４の状態表示を更新する。
（ｊ）第１のネットワーク統合管理装置（例えば図２の３０＃１とする）は、第２のネットワーク統合管理装置（例えば図２の３０＃Ｋとする）の管理下にあるネットワーク（図３の１４＃Ｎとする）を、この第２の前記ネットワーク統合管理装置内に保持する当該ネットワークの管理情報に基づいて、インターネット４０および当該ネットワーク１４＃Ｎを配下に置く監視／制御装置５０＃Ｎを介し、遠隔管理する。これにより、システム全体として柔軟性のある運用が図れる。
上記諸特徴的動作のうち、主として（ｇ）および（ｉ）に関連する具体例を図を参照して示す。
図４は図２および図３の表示部３１および５９における具体的な表示例を示す図（その１）、
図５は同図（その２）である。
なおこれらの図では簡単のために、１つのネットワーク統合管理装置３０と２つの監視／制御装置（＃１，＃２）５０について示す。
監視／制御装置５０＃１および５０＃２の各配下にあるネットワーク（ＮＷ−１およびＮＷ−２）１４の状態情報は、図５においてパターンＰ１およびＰ２として示され、各表示部５９＃１および５９＃２に表示される。なお。図中、四角いブロック６５は、主たる監視／制御対象であるノード装置を表す。
各表示部５９には、表示情報として“障害”や“状態変化”が集約的に表示されており、該当する場合には該当部分が点滅したり、あるいは赤色に点灯する。また、ログ情報も表示される。
監視／制御装置での状態情報および表示情報は、そのまま、ネットワーク統合管理装置３０の表示部３１に表示される（図４）。
また上記諸特徴的動作のうち、主として（ｅ）および（ｆ）に関連する具体例を図を参照して示す。
図６の（Ａ），（Ｂ）および（Ｃ）は管理グループ情報部内のテーブルに格納される各種リストの内容の具体例を示す図である。
本図の（Ａ）および（Ｂ）は、監視／制御装置５０内にテーブルとして実装される管理グループ情報部５４内のリストを示し、（Ｃ）はネットワーク統合管理装置３０内にテーブルとして実装される管理グループ情報部３２内のリストを示す。
図６の（Ａ）のリストは、ノード装置６５から状態変化に関する通知（図中の“状態変化通知”）があったときに、この通知をどのネットワーク統合管理装置（ｍａｓｔｅｒ）３０に送るべきかを表すｍａｓｔｅｒアドレスを記録している。その他、図中の、“表示情報通知”や“ネットワーク管理範囲変更通知”等についても同様である。
図６の（Ｃ）のリストは、ある１つのネットワーク統合管理装置（例えば３０＃１）に着目したとき、この装置配下の監視／制御装置をグループ単位に管理できる。例えば、グループ２として登録されている監視／制御装置に対して、「グループ同報」として一斉制御をかけることが可能となる。どのグループにも属していない監視／制御装置に対しては制御をかけることは抑止される。
また、図６の（Ｂ）のリストは当該監視／制御装置が、どのグループに属しているかを示すリストであり、ある１つの監視／制御装置（例えば５０＃２）に着目したとき、この装置は、グループ１、２、３、４に属しており、当該グループに属するネットワーク統合管理装置からの制御指示のみを受け付け、他グループおよび他のネットワーク統合管理装置からの制御指示は受け付けてはならない。
なお、各グループの区分けは、予めシステム１０の立ち上げ時に定められる。あるいは装置５０や３０の追加があったときは、そのときに定められる。
図７は本発明に係るネットワーク統合管理システムの主たるハードウェア構成を示す図である。なお構成要素１０，３０，４０，５０，１４については既に述べたとおりである。また簡単のために１つの装置３０と２つの装置５０をもって表す。
ネットワーク統合管理装置３０と各監視／制御装置５０は、それぞれメールサーバ６６を備えており、各ルータ（ＲＴ）６９を介してインターネット４０経由で監視／制御情報（ＩＮＦ）をやりとりする。
これらの装置（３０，５０）内には、メールサーバ６６に協働するコンピュータ（ＣＰＵ）６７と記録媒体（ＭＥＭ，ＤＩＳＣ）６８とが設けられ、コンピュータ６７は、本発明の特徴的動作に係る処理等を実行し、記録媒体６８はそのためのプログラムを格納する。プログラムを記録したコンピュータ読み取り可能な記録媒体６８により、コンピュータ６７に実行させるための主たる処理を、下記１）〜３）に示す。
１）ネットワーク統合管理装置３０において、監視／制御装置５０に対し監視／制御情報として制御指示を発行するための処理、および監視／制御装置５０において、その制御指示に従ってその配下のネットワーク１４を制御するための処理である。
２）該監視／制御装置５０において、上記の制御指示に従ってその配下のネットワーク１４を制御するための処理と、その制御指示に従った処理結果をネットワーク１４から収集するための処理と、その収集情報をネットワーク統合管理装置３０に通知するための処理である。
３）ネットワーク統合管理装置３０において、監視／制御装置５０に対し、ネットワーク１４の状態を示す状態情報の収集を指示する収集指示を、監視／制御情報として発行するための処理、および監視／制御装置５０において、上記の収集指示に従ってその配下のネットワーク１４から状態情報を収集するための処理である。
以上、本発明に係るシステム１０の構成ならびに特徴的動作について説明したので、以下に、具体的な全体的動作例について説明する。
〔オペレータがネットワークに対して制御をかける場合〕
図８はＳＭＴＰメッセージフォーマットの第１例を示す図、
図９はＳＭＴＰメッセージフォーマットの第２例を示す図である。
図８および図９を参照しながら以下、上記の場合について説明する。
〈１〉オペレータがネットワーク統合管理装置３０から、いずれかのネットワーク１４を指定して前述の制御指示（以下制御コマンド）を発行する。コマンド制御部３５では、管理グループ情報部３２からネットワーク毎に設置されている、監視／制御装置５０のメールアドレスを検索し、メール作成部３７に通知する。
〈２〉メール作成部３７では、図８に示すＳＭＴＰのメッセージ・ヘッダフォーマット（コマンド発行時のフォーマット）に情報をセットして、メッセージ・ヘッダの後ろのメッセージ領域に、コマンド制御部３５で作成したコマンド情報をセットし、ＳＭＴＰにより送信する。
〈３〉メールを受信した監視／制御装置５０は、メール解析部５２にて受信メールの宛て先アドレスを読み出して、自分宛かどうかチェックし、自分宛でなければ廃棄する。自分宛の場合は、送信元ホスト名またはＳｕｂｊｅｃｔに設定されているコマンドコードを読み出し、コマンド制御部５５へメッセージ領域の内容を通知する。
〈４〉コマンド制御部５５では、コマンドコードに対応した処理を呼び出し、その処理コマンドをコマンド・ヘッダ内の送信先アドレスに発行し、コマンドの処理結果の、当該監視／制御対象（ノード装置６５）からのレスポンスを待つ。
そのレスポンスを受信すると、レスポンス情報を作成し、メール作成部５３に通知する。
〈５〉そのメール作成部５３では、図９に示すＳＭＴＰのメッセージ・ヘッダフォーマット（レスポンス発行時のフォーマット）に情報をセットして、メッセージ・ヘッダの後ろのメッセージ領域に、コマンド制御部５５で作成したレスポンス情報をセットし、ＳＭＴＰ部５１より装置３０側へ送信する（前述の“通知”）。
〈６〉メールを受信したネットワーク統合管理装置３０は、メール解析部３６にて受信メールの宛て先アドレスを読み出して、自分宛かどうかチェックし、自分宛でなければ廃棄する。自分宛の場合は、送信元ホスト名またはＳｕｂｊｅｃｔに設定されているコードを読み出し、コマンド制御部３５へメッセージ領域の内容を通知する。
〈７〉このコマンド制御部３５では、自ら発行したコマンドコードであれば、レスポンス結果に対応したメッセージを、オペレータに通知する。
〔ネットワークからの状態通知（の場合）〕
図１０はＳＭＴＰメッセージフォーマットの第３例を示す図である。
〈１〉ネットワーク１４内で状態変化が発生した場合には、ネットワーク１４内の装置６５から監視／制御装置５０に対して、レポートとしてその状態変化を通知する。監視／制御装置５０では、監視収集部６０および運用管理部５８を通じて、表示部５８での表示状態を更新するとともに、状態情報通知部５６へその状態変化を通知する。
〈２〉この状態情報通知部５６では、ネットワーク１４内の装置（６５）単位に、図１０に示すの表示項目とログ情報とで構成されるレポート情報（既述の“通知”）を作成して、メール作成部５３に転送する。
〈３〉このメール作成部５３では、図１０に示すＳＭＴＰのメッセージ・ヘッダフォーマット（レポート通知時のフォーマット）に情報をセットして、メッセージ・ヘッダの後ろのメッセージ領域に、状態情報通知部５６で作成したレポート情報をセットし、ＳＭＴＰ部５１より装置３０側へ送信する。
〈４〉メールを受信したネットワーク統合管理装置３０は、そのメール解析部５２にて該受信メールの宛て先アドレスを読み出して、自分宛かどうかチェックし、自分宛でなければ廃棄する。自分宛の場合は、送信元ホスト名またはＳｕｂｊｅｃｔに設定されているコードを読み出し、レポートであれば、状態情報構築部３３へ、メッセージ領域の内容を通知する。
〈５〉この状態情報構築部３３では、上記レポート内の表示情報に基づいて、本装置３０の管理範囲内のネットワーク１４にある装置６５あるいは伝送路のアドレスかチェックし、そうであれば当該ネットワークの状態表示および集約状態の表示をそれぞれ更新する。
〔ネットワーク管理範囲の変更の場合〕
図１１はＳＭＴＰメッセージフォーマットの第４例を示す図である。
〈１〉ネットワーク（ＮＷ−１）１４に対し、ノード装置６５を追加し、監視／制御装置（＃１）５０のネットワーク管理範囲を更新した場合、表示情報通知部５７にて更新された新しいネットワーク管理範囲情報を、図１１に示す内容で構成されるレポート情報を作成し、さらにメール作成部５３に転送する。
〈２〉このメール作成部５３では、図１１に示すＳＭＴＰのメッセージ・ヘッダフォーマット（レポート通知時のフォーマット）に情報をセットして、メッセージ・ヘッダの後ろのメッセージ領域に、表示情報通知部５６で作成したレポート情報をセットし、ＳＭＴＰ部５１より装置３０側に送信する。
〈３〉ＳＭＴＰ部５１からのメールを受信したネットワーク統合管理装置３０は、そのメール解析部３６にて該受信メールの宛て先アドレスを読み出して、自分宛かどうかチェックし、自分宛でなければ廃棄する。自分宛の場合は、送信元ホスト名またはＳｕｂｊｅｃｔに設定されているコードを読み出し、これがレポートであれば、表示情報構築部３３へ、メッセージ領城の内容を通知する。
〈４〉この表示情報構築部３３では、そのレポート内のネットワーク管理範囲情報に基づいて、ネットワークＮｏ．毎に管理しているネットワーク管理範囲情報を更新して、表示部３１に再表示する。新規に追加されたノード装置６５に対しては、当該ネットワークの監視／制御装置に対し、ノード運用状態要求コマンドを発行して、ノード装置の状態のレポート情報を要求する。そしてそのレポート情報に基づいて表示部３１にその状態表示を行う。
〔監視／制御装置の監視〕
図１２はＳＭＴＰメッセージフォーマットの第５例を示す図である。
〈１〉監視／制御装置５０からは上述した各種情報の他に、定期的にシーケンス番号を付加したレポート情報を、ネットワーク統合管理装置３０に対して発行する。
〈２〉ネットワーク統合管理装置３０では上記のレポート情報を、その状態情報構築部３４に送り、この状態情報構築部３４では、上記のシーケンス番号をチェックし、レポート情報が装置、５０より番号順に通知されているかチェックする。番号順に通知されていないか、もしくは一定時間内に本レポート情報が通知されない場合には、当該監視／制御装置５０に対して、シーケンス番号通知要求を発行する。本要求を発行してもなお、番号順に通知されていない場合には、当該監視／制御装置も含めて当該ネットワーク１４全体の異常と判断し、状態表示を“異常”と表示する。また、一定時間内に本レポート情報が通知されない場合には、当該ネットワークが撤去されたものとして、監視／制御対象から外し、以後これに対する監視／制御は行わない。
〈３〉一度撤去したネットワークから再度、レポート情報が通知された場合には、装置３０はネットワーク管理範囲情報要求を、当該監視／制御装置５０に発行し、ネットワーク管理範囲情報を獲得する。さらに装置３０はノード運用状態要求を発行し、表示部３１での状態表示を再開する。
以上述べた、
〔オペレータがネットワークに制御をかける場合〕をモード１とし、
〔ネットワークからの状態通知の場合〕をモード２とし、
〔ネットワーク管理範囲の変更の場合〕をモード３とし、
〔監視／制御装置の監視の場合〕をモード４として、
各モードのもとでの動作を一層分かり易く、フローチャートおよび／またはシーケンス図にて表すと以下のとおりである。
図１３はモード１のもとでの動作を表すフローチャート（その１）であり、
図１４は同フローチャート（その２）である。また、
図１５はモード１のもとでの各装置間の処理を表すシーケンス図である。
なお、図１３および図１４に示す各ステップの内容は、既述の〔オペレータがネットワークに制御をかける場合〕の内容とほぼ同じである。また図１５の各処理についても既に述べた内容とほぼ同じである。
図１６はモード２のもとでの動作を表すフローチャートである。また、
図１７はモード２のもとでの各装置間の処理を表すシーケンス図である。
なお、図１６に示す各ステップの内容は、既述の〔ネットワークからの状態通知の場合〕の内容とほぼ同じであり、また図１７の処理についても既に述べた内容とほぼ同じである。
図１８はモード３のもとでの動作を表すフローチャートである。また、
図１９はモード３のもとでの各装置間の処理を表すシーケンス図である。
なお、図１８に示す各ステップの内容は、既述の〔ネットワーク管理範囲の変更の場合〕の内容とほぼ同じであり、また図１９の処理についても既に述べた内容とほぼ同じである。
図２０はモード４のもとでの動作を表すフローチャート（その１）であり、
図２１は同フローチャート（その２）である。また
図２２はモード４のもとでの各装置間の処理を表すシーケンス図である。
既述の〔監視／制御装置の監視の場合〕は、図２０，２１および２２で明らかにするとおり、次の動作が行われる。
ネットワーク統合管理装置３０は、監視／制御装置５０から、監視／制御情報が正常に送信されているか否かを表す正常性チェック情報を正常に受信しないとき、監視／制御装置５０およびその配下のネットワーク１４に異常が発生したものと判定し、ネットワーク統合管理装置３０内でのネットワークの状態表示を変更する。
またネットワーク統合管理装置３０は、上記の正常性チェック情報の受信についてリトライ処理を行い、リトライアウトになったとき、当該監視／制御装置５０は撤去されたものと判定し、ネットワーク統合管理装置３０内でのネットワークの状態表示を変更する。
以上説明したように本発明によれば、各ネットワークに対する監視および／または制御を、上位のネットワーク統合管理装置からも行えるので、ネットワーク管理がより適切かつ高い自由度をもって行うことができる。
また、ネットワーク統合管理装置は各ネットワーク内の細部まで監視するため、高品質のネットワーク管理が可能となる。
さらにまた、ネットワーク統合管理装置と監視／制御装置とで相互に同一の管理情報を持つことになり、システム管理上使い勝手がよく、また、信頼性も高いものとなる。
また、インターネットを組み入れたシステム構成となっており、通信コストは大幅に減少する。
【図面の簡単な説明】
図１は本発明に係るネットワーク統合管理システムの基本構成を表す図、
図２は本発明に係るネットワーク統合管理システムの具体的構成を示す図（その１）、
図３は本発明に係るネットワーク統合管理システムの具体的構成を示す図（その２）、
図４は図２および図３の表示部３１および５９における具体的な表示例を示す図（その１）、
図５は図２および図３の表示部３１および５９における具体的な表示例を示す図（その２）、
図６の（Ａ）、（Ｂ）および（Ｃ）は管理グループ情報部内のテーブルに格納される各種リストの内容の具体例を示す図、
図７は本発明に係るネットワーク統合管理システムの主たるハードウェア構成を示す図、
図８はＳＭＴＰメッセージフォーマットの第１例を示す図、
図９はＳＭＴＰメッセージフォーマットの第２例を示す図、
図１０はＳＭＴＰメッセージフォーマットの第３例を示す図、
図１１はＳＭＴＰメッセージフォーマットの第４例を示す図、
図１２はＳＭＴＰメッセージフォーマットの第５例を示す図、
図１３はモード１のもとでの動作を表すフローチャート（その１）、
図１４はモード１のもとでの動作を表すフローチャート（その２）、
図１５はモード１のもとでの各装置間の処理を表すシーケンス図、
図１６はモード２のもとでの動作を表すフローチャート、
図１７はモード２のもとでの各装置間の処理を表すシーケンス図、
図１８はモード３のもとでの動作を表すフローチャート、
図１９はモード３のもとでの各装置間の処理を表すシーケンス図、
図２０はモード４のもとでの動作を表すフローチャート（その１）、
図２１はモード４のもとでの動作を表すフローチャート（その２）、
図２２はモード４のもとでの各装置間の処理を表すシーケンス図および、
図２３はネットワーク統合管理システムの従来の構成を示す図である。
【図１】
0004386634.tif 000002
【図２】
0004386634.tif 000003
【図３】
0004386634.tif 000004
【図４】
0004386634.tif 000005
【図５】
0004386634.tif 000006
【図６】
0004386634.tif 000007
【図７】
0004386634.tif 000008
【図８】
0004386634.tif 000009
【図９】
0004386634.tif 000010
【図１０】
0004386634.tif 000011
【図１１】
0004386634.tif 000012
【図１２】
0004386634.tif 000013
【図１３】
0004386634.tif 000014
【図１４】
0004386634.tif 000015
【図１５】
0004386634.tif 000016
【図１６】
0004386634.tif 000017
【図１７】
0004386634.tif 000018
【図１８】
0004386634.tif 000019
【図１９】
0004386634.tif 000020
【図２０】
0004386634.tif 000021
【図２１】
0004386634.tif 000022
【図２２】
0004386634.tif 000023
【図２３】
0004386634.tif 000024